【手続補正書】
【提出日】平成30年4月9日(2018.4.9)
【手続補正１】
【補正対象書類名】特許請求の範囲
【補正対象項目名】全文
【補正方法】変更
【補正の内容】
【特許請求の範囲】
【請求項１】
ワイヤレス通信のための方法であって、
第１のメッセージが送信されるべき宛先デバイスに基づいて複数の信号強度のメトリックを決定することと、
前記信号強度のメトリックに基づいてソースデバイスを決定することと、
スケジューリングメッセージを生成することと、前記スケジューリングメッセージが、前記ソースデバイスが前記スケジューリングメッセージによって特定される第１の送信機会の間に第２のメッセージを送信するための許可を与えられることを示す、
前記ソースデバイスへの送信のために前記スケジューリングメッセージを出力することと、
前記宛先デバイスへの送信のために前記第１のメッセージを生成することと、ここにおいて、前記生成は、
前記第１のメッセージの前記送信の完了時間と前記第２のメッセージの受信の完了時間との差が閾値以下であるように、前記第１のメッセージの所望の長さを決定することと、
前記所望の長さを有するために前記第１のメッセージをパッドすることと、
を備える、
前記宛先デバイスへの送信のために前記第１のメッセージを出力することと、
前記第２のメッセージの少なくとも一部分を、前記宛先デバイスへの送信のために前記第１のメッセージを前記出力することと少なくとも部分的に同時に前記ソースデバイスから受信することと
を備え、前記第２のメッセージが、前記第１のメッセージとは異なる、方法。
【請求項２】
ワイヤレス通信のための装置であって、
第１のメッセージが送信されるべき宛先デバイスに基づいて複数の信号強度のメトリックを決定することと、
前記信号強度のメトリックに基づいてソースデバイスを決定することと、
第１のスケジューリングメッセージを生成することと、前記第１のスケジューリングメッセージが、前記ソースデバイスが前記第１のスケジューリングメッセージによって特定される第１の送信機会の間に第２のメッセージを送信するための許可を与えられることを示す、
前記宛先デバイスへの送信のために前記第１のメッセージを生成することと、ここにおいて、前記生成は、
前記第１のメッセージの前記送信の完了時間と前記第２のメッセージの受信の完了時間との差が閾値以下であるように、前記第１のメッセージの所望の長さを決定することと、
前記所望の長さを有するために前記第１のメッセージをパッドすることと、
を備える、
前記第２のメッセージの少なくとも一部分を、前記宛先デバイスへ送信のために前記第１のメッセージを出力することと少なくとも部分的に同時に前記ソースデバイスから受信することと、前記第２のメッセージが、前記第１のメッセージとは異なる、
を行うように構成される処理システムと、
前記ソースデバイスへの送信のために前記第１のスケジューリングメッセージを、および前記宛先デバイスへの送信のために前記第１のメッセージを出力するためのインターフェースと
を備える、装置。
【請求項３】
前記処理システムがさらに、
前記第１のメッセージが送信のために出力される前記宛先デバイスを決定するように構成される、請求項２に記載の装置。
【請求項４】
前記処理システムが、
信号強度が第１の閾値以下である複数のデバイスのうちの１つまたは複数を特定することと、
前記特定されたデバイスから前記ソースデバイスを選択することと
によって、前記複数の信号強度のメトリックに基づいて前記ソースデバイスを決定するように構成される、請求項２に記載の装置。
【請求項５】
前記第２のメッセージの少なくとも一部分が前記第２のメッセージのプリアンブルを備え、前記処理システムがさらに、
前記第２のメッセージの前記プリアンブルに基づいて、前記第２のメッセージの前記少なくとも一部分がそこから送信された前記ソースデバイスを決定することと、
前記ソースデバイスに基づいて複数の信号強度のメトリックを決定することと
を行うように構成される、請求項３に記載の装置。
【請求項６】
前記第２のメッセージの前記少なくとも一部分が前記第２のメッセージのプリアンブルを備え、前記処理システムが前記プリアンブルに少なくとも一部基づいて前記宛先デバイスを決定するように構成される、請求項３に記載の装置。
【請求項７】
前記処理システムがさらに、前記第２のメッセージの前記プリアンブルに少なくとも一部基づいて前記第２のメッセージの持続時間を決定するように構成され、前記処理システムが、前記処理システムが前記宛先デバイスへの送信のために前記第１のメッセージを生成するときに前記第２のメッセージの前記決定された持続時間に基づいて前記第１のメッセージの第１の長さをパッドする、請求項６に記載の装置。
【請求項８】
前記処理システムがさらに、
前記第１のメッセージの第１の持続時間を決定することと、
前記第２のメッセージの第２の持続時間を決定することと
を行うように構成され、
前記インターフェースがさらに、前記決定された第１および第２の持続時間に少なくとも一部基づいて、前記第２のメッセージの肯定応答を送信のために出力するように構成される、請求項２に記載の装置。
【請求項９】
前記処理システムがさらに、前記第１のメッセージの持続時間を示すために前記第１のスケジューリングメッセージを生成するように構成される、請求項２に記載の装置。
【請求項１０】
前記処理システムがさらに、
前記ソースデバイスから応答メッセージを受信することと、
前記ソースデバイスが前記第１のスケジューリングメッセージにおいて特定される前記第１の送信機会の間に前記第２のメッセージを送信するかどうかを決定するために前記応答メッセージを復号することと
を行うように構成される、請求項２に記載の装置。
【請求項１１】
前記処理システムがさらに、前記第２のメッセージの持続時間を決定するために前記応答メッセージを復号するように構成され、前記処理システムが、前記第１のメッセージの送信のための出力が前記第２のメッセージの受信と同じ時間に完了するように、前記第２のメッセージの前記持続時間に基づいて前記第１のメッセージをパッドする、請求項１０に記載の装置。
【請求項１２】
前記処理システムがさらに、前記第２のメッセージの持続時間を決定するために前記応答メッセージを復号するように構成され、前記処理システムが、前記第２のメッセージの前記持続時間に基づいて前記第１のメッセージを送信のために出力する、請求項１０に記載の装置。
【請求項１３】
前記処理システムが、前記ソースデバイスからの前記第２のメッセージの前記持続時間に少なくとも一部基づいて前記第１のメッセージをパッドするように構成される、請求項１２に記載の装置。
【請求項１４】
前記処理システムがさらに、前記ソースデバイスが前記第１の送信機会の間に前記第２のメッセージを送信するという前記決定に少なくとも一部基づいて制御メッセージを送信のために生成および出力するように構成される、請求項２に記載の装置。
【請求項１５】
前記制御メッセージが、前記第１の送信機会の新しい持続時間と、前記ソースデバイスおよび前記宛先デバイスの各々の送信レートとを備え、前記新しい持続時間が、前記第１のメッセージの持続時間および前記第２のメッセージの前記持続時間に少なくとも一部基づく、請求項１４に記載の装置。
【請求項１６】
前記処理システムがさらに、肯定応答タイミングメッセージを生成するように構成され、前記肯定応答タイミングメッセージが、前記第１のメッセージと関連付けられる肯定応答を送るための時間期間を示す、請求項２に記載の装置。
【請求項１７】
前記処理システムが、前記装置が第２のスケジューリングメッセージによって特定される送信機会の間に前記宛先デバイスへの送信のために前記第１のメッセージを出力するための許可を与えられると決定するために前記第２のスケジューリングメッセージを受信し、前記第２のスケジューリングメッセージを復号するように構成される、請求項２に記載の装置。
【請求項１８】
前記処理システムがさらに、前記第１のメッセージを前記宛先デバイスへの送信のために出力するための前記送信機会の持続時間を決定するために前記第２のスケジューリングメッセージを復号するように構成される、請求項１７に記載の装置。
【請求項１９】
前記処理システムが、前記送信機会の前記決定された持続時間に少なくとも一部基づいて前記第１のメッセージをパッドするように構成される、請求項１８に記載の装置。
【請求項２０】
前記処理システムがさらに、制御メッセージを受信することと、前記制御メッセージによって示される送信レートを決定することと、前記第２のスケジューリングメッセージによって特定される前記送信機会の前記持続時間を、前記制御メッセージにおいて示される新しい持続時間によって更新することとを行うように構成される、請求項１８に記載の装置。
【請求項２１】
前記処理システムがさらに、前記インターフェースが前記送信機会の間の前記宛先デバイスへの送信のために前記第１のメッセージを出力することを示して前記第１のメッセージの持続時間を示すために、応答メッセージを生成するように構成され、前記インターフェースがさらに、前記第２のスケジューリングメッセージを送信したデバイスへの送信のために前記応答メッセージを出力するように構成される、請求項１７に記載の装置。
【請求項２２】
前記処理システムがさらに、肯定応答タイミングメッセージを受信することと、前記ソースデバイスから受信された前記第２のメッセージにいつ肯定応答するかを決定するために前記肯定応答タイミングメッセージを復号することとを行うように構成される、請求項２に記載の装置。
【請求項２３】
前記肯定応答タイミングメッセージが、送信のために前記第１のメッセージをいつ出力するかを示す第２のスケジューリングメッセージを備える、請求項２２に記載の装置。
【請求項２４】
前記処理システムが、ビーコン、接続要求、接続応答、プローブ要求、またはプローブ応答を含む、前記処理システムによって生成された通信における全二重能力を示すように構成される、請求項２に記載の装置。
【請求項２５】
出力するための前記インターフェースが、前記ソースデバイスが全二重通信が可能である場合、前記ソースデバイスから前記第２のメッセージを受信することと同時に、前記第１のメッセージを送信のために出力するように構成される、請求項２に記載の装置。
【請求項２６】
実行されると、装置にワイヤレス通信の方法を実行させる命令が符号化された、非一時的コンピュータ可読記憶デバイスであって、前記方法が、
第１のメッセージが送信されるべき宛先デバイスに基づいて複数の信号強度のメトリックを決定することと、
前記信号強度のメトリックに基づいてソースデバイスを決定することと、
スケジューリングメッセージを生成することと、前記スケジューリングメッセージが、前記ソースデバイスが前記スケジューリングメッセージによって特定される第１の送信機会の間に第２のメッセージを送信するための許可を与えられることを示す、
前記ソースデバイスへの送信のために前記スケジューリングメッセージを出力することと、
前記宛先デバイスへの送信のために前記第１のメッセージを生成することと、ここにおいて、前記生成は、
前記第１のメッセージの前記送信の完了時間と前記第２のメッセージの受信の完了時間との差が閾値以下であるように、前記第１のメッセージの所望の長さを決定することと、
前記所望の長さを有するために前記第１のメッセージをパッドすることと、
を備える、
前記宛先デバイスへの送信のために前記第１のメッセージを出力することと、
前記第２のメッセージの少なくとも一部分を、前記宛先デバイスへの送信のために前記第１のメッセージを前記出力することと少なくとも部分的に同時に前記ソースデバイスから受信することと
を備え、前記第２のメッセージが、前記第１のメッセージとは異なる、非一時的コンピュータ可読記憶デバイス。
【請求項２７】
ワイヤレス通信のための装置であって、
第１のメッセージが送信されるべき宛先デバイスに基づいて複数の信号強度のメトリックを決定するための手段と、
前記信号強度のメトリックに基づいてソースデバイスを決定するための手段と、
スケジューリングメッセージを生成するための手段と、前記スケジューリングメッセージが、前記ソースデバイスが前記スケジューリングメッセージによって特定される第１の送信機会の間に第２のメッセージを送信するための許可を与えられることを示す、
前記ソースデバイスへの送信のために前記スケジューリングメッセージを出力するための手段と、
前記宛先デバイスへの送信のために前記第１のメッセージを生成するための手段と、ここにおいて、生成のための前記手段は、
前記第１のメッセージの前記送信の完了時間と前記第２のメッセージの受信の完了時間との差が閾値以下であるように、前記第１のメッセージの所望の長さを決定するための手段と、
前記所望の長さを有するために前記第１のメッセージをパッドするための手段と、
を備える、
前記宛先デバイスへの送信のために前記第１のメッセージを出力するための手段と、
前記第２のメッセージの少なくとも一部分を、前記宛先デバイスへの送信のために前記第１のメッセージを前記出力することと少なくとも部分的に同時に前記ソースデバイスから受信するための手段と
を備え、前記第２のメッセージが、前記第１のメッセージとは異なる、装置。
【請求項２８】
少なくとも１つのアンテナと、
第１のメッセージが送信されるべき宛先デバイスに基づいて複数の信号強度のメトリックを決定することと、
前記信号強度のメトリックに基づいてソースデバイスを決定することと、
スケジューリングメッセージを生成することと、前記スケジューリングメッセージが、前記ソースデバイスが前記スケジューリングメッセージによって特定される第１の送信機会の間に第２のメッセージを送信するための許可を与えられることを示す、
前記宛先デバイスへの送信のために前記第１のメッセージを生成することと、ここにおいて、前記生成は、
前記第１のメッセージの前記送信の完了時間と前記第２のメッセージの受信の完了時間との差が閾値以下であるように、前記第１のメッセージの所望の長さを決定することと、
前記所望の長さを有するために前記第１のメッセージをパッドすることと、
を備える、
前記少なくとも１つのアンテナを介して、前記第２のメッセージの少なくとも一部分を、前記第１のメッセージを前記宛先デバイスに送信することと少なくとも部分的に同時に前記ソースデバイスから受信することと、前記第２のメッセージが、前記第１のメッセージとは異なる、
を行うように構成される処理システムと、
前記ソースデバイスへの送信のために前記スケジューリングメッセージを、および前記宛先デバイスへの送信のために前記第１のメッセージを出力するためのインターフェースと
を備える、ワイヤレスノード。